(57)【要約】【課題】遊技球の転動領域が前後２層に形成された弾球遊技機において、後方に位置する転動領域のメンテナンスを簡単に行うことができる弾球遊技機を提供する。【解決手段】遊技球が転動しながら流下する転動領域を有する遊技盤３０を備えた弾球遊技機１０において、遊技盤は、遊技者に近い側となる前方に配置され、少なくとも一部に遊技者から遠い側となる後方を視認可能な透明領域が形成された第１転動領域３１ｃを有する第１遊技盤３０ａと、第１転動領域の後方の透明領域と重なる位置に配置された第２転動領域１３１ｃを有する第２遊技盤１３０ａと、を備えており、第２遊技盤は、第２転動領域が透明領域と重なる位置と、第２転動領域が透明領域に対してずれて、該第２転動領域の前方への露出度合が、第１遊技盤による妨げが少なくなって高まる位置との間を移動可能に形成された。【選択図】図４
2010273997.tif 000002
【特許請求の範囲】
【請求項１】
遊技球が転動しながら流下する転動領域を有する遊技盤を備えた弾球遊技機において、
前記遊技盤は、
遊技者に近い側となる前方に配置され、少なくとも一部に遊技者から遠い側となる後方を視認可能な透明領域が形成された第１転動領域を有する第１遊技盤と、
前記第１転動領域の後方の前記透明領域と重なる位置に配置された第２転動領域を有する第２遊技盤と、
を備えており、
前記第２遊技盤は、前記第２転動領域が前記透明領域と重なる位置と、前記第２転動領域が前記透明領域に対してずれて、該第２転動領域の前方への露出度合が、前記第１遊技盤による妨げが少なくなって高まる位置との間を移動可能に形成されたことを特徴とする弾球遊技機。
【請求項２】
前記第１遊技盤には開口部が設けられており、前記第１遊技盤における前記開口部の周囲の少なくとも一部に、前記第１転動領域が形成されていると共に、前記開口部の後方に、表示画面を有する演出表示装置を備え、前記開口部から前方に向けて前記表示画面が臨むようになっており、
前記第２遊技盤は、前記第１転動領域の後方かつ前記表示画面の前方の位置に配置されており、
前記第２遊技盤は、前記透明領域と重なる位置と、前記開口部における前記表示画面の前方位置との間をスライド移動可能に形成されたことを特徴とする請求項１に記載の弾球遊技機。
【発明の詳細な説明】
【技術分野】
【０００１】
本発明は弾球遊技機に関し、特に、遊技球の転動領域が前後２層に形成された弾球遊技機に関するものである。
【背景技術】
【０００２】
従来、パチンコ遊技機等の弾球遊技機には、その遊技盤にガイドレールで区画形成された遊技領域を備えており、当該遊技領域には、発射通路から放出された遊技球が転動しながら流下する転動領域を備えている。また、弾球遊技機の中には、遊技の興趣を高めるために、その遊技機の前後方向に２つの遊技盤を重ねて配置し、その２つの遊技盤それぞれに転動領域を備えることで、前後２層の転動領域を形成したものが提案されている（例えば、特許文献１参照）。
【先行技術文献】
【特許文献】
【０００３】
【特許文献１】特開２００５−３４２４２７号公報
【発明の概要】
【発明が解決しようとする課題】
【０００４】
しかしながら、前記した特許文献１に記載したような弾球遊技機では、遊技盤の転動領域に配置された遊技釘の釘調整や、転動領域に設けられた構造物の掃除等のメンテナンスを行おうとしたときに、２層の転動領域のうちの遊技者に近い側となる前方に位置するものは良いが、遊技者から遠い側となる後方に位置するものについては、前方に配置された転動領域を備えたもう１つの遊技盤が邪魔になってしまうという問題があった。これにより、後方に位置する転動領域のメンテナンスを行う際には、前方に位置する遊技盤を取り外してからメンテナンスを行わなければならず、メンテナンスに多くの手間や時間が掛かってしまうという不具合が生じていた。
【０００５】
本発明は、このような事情に鑑みてなされたものであり、遊技球の転動領域が前後２層に形成された弾球遊技機において、後方に位置する転動領域のメンテナンスを簡単に行うことができる弾球遊技機を提供することを目的とする。
【課題を解決するための手段】
【０００６】
かかる課題を解決するために、本発明の請求項１に記載の発明は、遊技盤が、遊技者に近い側となる前方に配置され、少なくとも一部に遊技者から遠い側となる後方を視認可能な透明領域が形成された第１転動領域を有する第１遊技盤と、第１転動領域の後方の透明領域と重なる位置に配置された第２転動領域を有する第２遊技盤と、を備えており、第２遊技盤は、第２転動領域が透明領域と重なる位置と、第２転動領域が透明領域に対してずれて、該第２転動領域の前方への露出度合が、第１遊技盤による妨げが少なくなって高まる位置との間を移動可能に形成された弾球遊技機としたことを特徴とする。
【０００７】
請求項１に係る発明によれば、前後２層の転動領域のうち、遊技者から遠い側となる後方の第２転動領域を有する第２遊技盤が、遊技者に近い側となる前方の第１転動領域の透明領域と重なる位置と、第２転動領域が透明領域に対してずれて、該第２転動領域の前方への露出度合が、第１遊技盤による妨げが少なくなって高まる位置との間を移動可能であるため、第２転動領域のメンテナンス時に第２遊技盤を移動可能となり、後方に位置する転動領域のメンテナンスを簡単に行うことができる。
【図面の簡単な説明】
【０００８】
【図１】本発明の実施の形態におけるパチンコ遊技機を表面側からみた斜視図である。
【図２】同パチンコ遊技機を背面側からみた斜視図である。
【図３】同パチンコ遊技機の遊技盤の遊技時の正面図である。
【図４】図３の遊技盤のメンテナンス時の正面図である。
【発明を実施するための形態】
【０００９】
以下、本発明の実施の形態における弾球遊技機について図面を参照しながら説明する。なお、本発明の実施の形態では、弾球遊技機としてパチンコ遊技機を例に説明している。図１は、本発明の実施の形態におけるパチンコ遊技機を表面側からみた斜視図であり、図２は、同パチンコ遊技機を背面側からみた斜視図である。
【００１０】
本発明の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置３７（後述）などの表示制御や、可動役物及びＬＥＤなどによる遊技演出の制御を行う表示演出サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１１】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１２】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１３】
窓枠１３は前枠１２の前面に装着されている。この窓枠１３は前枠１２と一体となって、前記した軸を中心に回動可能となっている。また、この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１４】
上述の遊技盤３０は、前枠１２の後面に装着されている。以下、この遊技盤３０及び遊技盤３０に備えられる各構成部材について図３及び図４を参照して詳細に説明する。図３は、本発明の実施の形態における遊技盤３０の遊技時の正面図であり、図４は、図３の遊技盤３０のメンテナンス時の正面図である。この遊技盤３０は、上述のように前枠１２の後面に装着されており、窓枠１３に設けられた透明板１７ａの後方に配置されている。また、遊技盤３０は、透明板１７ａと相対して遊技者に近い側となる前方に配置されて第１転動領域３１ｃを有する第１遊技盤３０ａと、当該第１遊技盤３０ａの後方（遊技者から遠い側となる位置）に配置されて第２転動領域１３１ｃを有する第２遊技盤１３０ａの２つの遊技盤で構成されており、これにより転動領域が前後２層構造となっている。
【００１５】
第１遊技板３１は、第１遊技盤３０ａの有する各構成部材を固定するための板である。ガイドレール３２は、この第１遊技板３１の前面に固定されて、この第１遊技板３１上に、パチンコ球の発射通路３１ａと遊技領域３１ｂとを区画形成する。第１遊技盤３０ａにおける第１遊技板３１に形成された遊技領域３１ｂのほぼ中央部であって後述する始動入賞口３３の上方には、第１遊技板３１に貫設された開口部３８が形成されている。この開口部３８の周縁には、種々の装飾部材が形成されている。また、開口部３８の下部を覆うように、後述するステージ３６が形成されている。
【００１６】
また、遊技領域３１ｂにおいては、第１遊技板３０ａに形成された開口部３８の周囲の少なくとも一部に、パチンコ球が転動しながら流下する第１転動領域３１ｃが形成されている。本実施の形態では、ガイドレール３２と開口部３８との間の領域で、開口部３８の上方から左方及び右下方までの領域が第１転動領域３１ｃとなっている。
【００１７】
また、第１遊技板３１の少なくとも一部は、アクリル板等からなる透明部材で形成されており、第１転動領域３１ｃのうちの透明部材で形成された領域が、後方を視認可能な透明領域となっている。なお、本実施の形態では、第１遊技板３１の全体が透明部材で形成されており、これにより、第１転動領域３１ｃの全体が透明領域として形成されている。
【００１８】
また、第１転動領域３１ｃには、パチンコ球の流下方向を変化させる複数の遊技釘（障害部材）３９が打ち込まれている。上述の打球槌が弾いたパチンコ球は、発射通路３１ａを通して遊技領域３１ｂ内の第１転動領域３１ｃに放出される。そして、第１転動領域３１ｃに放出されたパチンコ球は、遊技釘３９に当たって転動しながら第１転動領域３１ｃを流下する。
【００１９】
また、第１遊技板３１に貫設された開口部３８の後方には、カラー液晶ディスプレイ等を用いた演出表示装置３７が設けられている。この演出表示装置３７は、大当り遊技状態を発生させるか否かの判定結果に基づき変動演出表示を行う広い面積の表示画面３７ａを有しており、当該表示画面３７ａが開口部３８からパチンコ遊技機１０の前方に向けて臨むようになっている。
【００２０】
また、遊技領域３１ｂ内における、演出表示装置３７の下方の第１転動領域３１ｃには、始動入賞口３３が配置されている。この始動入賞口３３は、パチンコ球が入賞することによって、遊技者に有利な大当り遊技状態を発生させるか否かの判定を行う起点となるものであり、上方に開口するポケット状に形成されており、開閉可能な一対の可動片３３ｘを備えている。始動入賞口３３は、可動片３３ｘが閉塞されているときには開口面積が小さくなってパチンコ球が入賞し難くなり、可動片３３ｘが開放されているときには開口面積が大きくなってパチンコ球が入賞し易くなる。
【００２１】
また、始動入賞口３３の下方には、大入賞口３４が配置されている。この大入賞口３４は図示しないアクチュエータの作動により開閉する開閉扉３４ａを備えており、この開閉扉３４ａは、遊技状態が大当り遊技状態になると開口し、その際には大入賞口３４が上方に向かってポケット状に幅広く開口し、多数のパチンコ球が同時かつ連続的に大入賞口３４に入賞可能となる。
【００２２】
また、演出表示装置３７の表示画面３７ａが臨む開口部３８の周縁における下部を覆うように、パチンコ球を始動入賞口３３に入賞し易くなるように誘導する誘導路を始動入賞口３３の真上に設けた、略水平面で構成されたステージ３６が配置されている。このステージ３６には、遊技領域３１ｂにおける第１転動領域３１ｃの途中に設けられた（本実施の形態では開口部３８の左上方に設けられている）図示しないワープ入口から入り、図示しないワープ通路（本実施の形態では開口部３８の左方に設けられている）を通って、図示しないワープ出口（本実施の形態では開口部３８の左下方に設けられている）に出てきたパチンコ球が誘導されるように構成されている。また、本実施の形態では、後述する第２遊技盤１３０ａの第２転動領域１３１ｃを転動したパチンコ球も、ステージ３６に誘導され得るように構成されている。
【００２３】
また、第１転動領域３１ｃ内の所定位置には、パチンコ球が入賞可能な一般入賞口３５が上方に開口するポケット状に形成されている（本実施の形態では、第１転動領域３１ｃの左下部及び右下部に複数の一般入賞口３５が形成されている）。
【００２４】
また、第１遊技盤３０ａの第１転動領域３１ｃの後方における当該第１転動領域３１ｃの透明領域と重なる位置には、第１遊技盤３０ａとは別体で構成された第２遊技盤１３０ａが配置されている。そして、当該第２遊技盤１３０ａには、その前面側にパチンコ球が転動しながら流下する第２転動領域１３１ｃが形成されている。本実施の形態では、前記したように第１転動領域３１ｃの全体が透明領域となっており、第２遊技盤１３０ａは、第２転動領域１３１ｃが、透明領域としての第１転動領域３１ｃの一部である、開口部３８の左方に位置する箇所の第１転動領域３１ｃの後方に重なるような大きさ及び形状に形成され、配置されている。また、本実施の形態では、パチンコ遊技機１０の前後方向における第１転動領域３１ｃ後方と演出表示装置３７の表示画面３７ａの前方の間に所定間隔の空間が形成されており、第２遊技盤１３０ａは、パチンコ遊技機１０の前後方向において、第１転動領域３１ｃ後方かつ演出表示装置３７の表示画面３７ａの前方の空間位置に配置されている。
【００２５】
具体的には、本実施の形態の第２遊技盤１３０ａは、第２転動領域１３１ｃが正面視略長方形状となるように形成されている。また、本実施の形態の第２転動領域１３１ｃが後方に重なる位置の第１転動領域３１ｃには、入球口４０が形成されている。この入球口４０にパチンコ球が入球すると、そのパチンコ球は、第１転動領域３１ｃから第１遊技盤３０ａを越えて、後方の第２転動領域１３１ｃに誘導されるようになっており、第２転動領域１３１ｃを転動しながら流下するようになっている。
【００２６】
また、本実施の形態の第２転動領域１３１ｃにおける第１転動領域３１ｃの入球口４０と重なる位置より上側は、パチンコ球が通過しない構成のため、特に何も配置されておらず、入球口４０と重なる位置より下側は、入球口４０に入球したパチンコ球が通過するため、遊技釘１３９等の構造物が形成されている。ここでは、構造物として、前方に重なっている第１転動領域３１ｃに配置された遊技釘３９とほぼ同じ配置で、遊技釘１３９が打ち込まれている。また、第２転動領域１３１ｃには、構造物として、左上方から右下方に傾斜した誘導通路１３２が形成されており、この誘導通路に乗ったパチンコ球は、ステージ３６に誘導されるように構成されている。
【００２７】
また、本実施の形態では、第１転動領域３１ｃの後方、かつ、第２転動領域１３１ｃの前方の位置における遊技領域３１ｂの左下方に、球通路１５０が形成されている。この球通路１５０は、第２転動領域１３１ｃを転動して流下したパチンコ球の一部が、最上部に形成された通路入口１５１から入るようになっており、パチンコ球１個分の大きさの通路に形成されている。さらに、第１転動領域３１ｃの左下方における球通路１５０の最下部に対応する位置には、通路出口５０が形成されており、球通路１５０を通過したパチンコ球は、この通路出口５０から第１転動領域３１ｃに誘導されるようになっている。
【００２８】
本実施の形態では、前記したように、入球口４０を介して第１転動領域３１ｃから第２転動領域１３１ｃに誘導されたパチンコ球は、当該第２転動領域１３１ｃを転動しながら流下した後、第２転動領域１３１ｃの右下方に配置された誘導通路１３２に乗ってステージ３６に誘導されるか、第２転動領域１３１ｃの左下方に配置された通路入口１５１から球通路１５０に入って通路出口５０から左下方の第１転動領域３１ｃに誘導されるかの、２つの選択肢のいずれか一方の道を辿るようになっている。そして、誘導通路１３２に乗ってステージ３６に誘導された場合は、そのパチンコ球はステージ３６から始動入賞口３３に入賞し易くなり、遊技者に有利な状態となる。また、通路入口１５１から球通路１５０に入って通路出口５０から左下方の第１転動領域３１ｃに誘導された場合は、始動入賞口３３に入る可能性はほとんどなく、そのまま流下して排出される。
【００２９】
なお、第２転動領域１３１ｃを転動したパチンコ球の行き先としては、前記した行き先に限るものではなく、行き先の数（１又は複数）、行き先の種類とも適宜に誘導されるように形成されていれば良い。
【００３０】
また、第２遊技盤１３０ａは、後方に位置する第２転動領域１３１ｃが、前方に位置する透明領域としての第１転動領域３１ｃと重なる位置と、後方に位置する第２転動領域１３１ｃが前方に位置する透明領域を含む第１転動領域１３１ｃ（本実施の形態では、透明領域＝第１転動領域３１ｃである）と重ならない位置（第２転動領域１３１ｃが透明領域としての第１転動領域３１ｃに対してずれて、第２転動領域１３１ｃの前方への露出度合が、第１遊技盤３０ａによる妨げが少なくなって高まる位置）との間を移動可能に形成されている。以下、第２遊技盤１３０ａの移動に関して図３及び図４を参照して詳細に説明する。
【００３１】
第２遊技盤１３０ａは、前記したように、パチンコ遊技機１０の前後方向において、第１転動領域３１ｃの後方かつ表示画面３７ａの前方に位置する空間に配置されている。この空間における第２遊技盤１３０ａの上下端部と接する位置には、それぞれ上レール１４１及び下レール１４５が、パチンコ遊技機１０の左右方向に延びるように形成されており、第２遊技盤１３０ａの上下端部が、この上レール１４１及び下レール１４５に摺動可能に係合されている。これにより、第２遊技盤１３０ａが、このレール間に挟持されて遊技機１０の左右方向にスライド移動可能とされている。
【００３２】
また、上レール１４１及び下レール１４５には、それぞれ、左端部に左ストッパ１４２，１４６が形成され、右端部に右ストッパ１４３，１４７が形成されている。これにより、レール１４１，１４５間で挟持してスライド移動させた第２遊技盤１３０ａは、左端部では左ストッパ１４２，１４６でそのスライドが止まるようになっており、また、右端部では右ストッパ１４３，１４７でそのスライドが止まるようになっている。なお、本実施の形態では、各ストッパ１４２，１４３，１４６，１４７は、レールの端部が略Ｌ字状に形成された構成となっているが、これに限るものではなく、適宜の構成となっていれば良い。
【００３３】
そして、前記した上レール１４１、下レール１４５及び各ストッパ１４２，１４３，１４６，１４７により、第２遊技盤１３０ａは、パチンコ遊技機１０の左右方向において、後方に位置する第２転動領域１３１ｃが、前方に位置する透明領域としての第１転動領域３１ｃと重なる位置である遊技位置（図３に示すように左端部までスライド移動させた状態）と、後方に位置する第２転動領域１３１ｃが前方に位置する透明領域を含む第１転動領域１３１ｃとほとんど重ならない位置である、開口部３８における表示画面３７ａの前方位置（図４に示すように右端部までスライド移動させた状態であり、これをメンテナンス位置とする）との間をスライド移動可能に形成されている。
【００３４】
そして、このような構成により、パチンコ遊技機１０における遊技時には、第２遊技盤１３０ａをレール左端部の遊技位置に配置して遊技可能な状態とする一方、第２転動領域１３１ｃの遊技釘１３９の調整を行ったり、誘導通路１３２や盤面等の掃除を行ったりするメンテナンス時には、第２遊技盤１３０ａをレール右端部の第１転動領域３１ｃと重ならないメンテナンス位置（第２転動領域１３１ｃが透明領域としての第１転動領域３１ｃに対してずれて、第２転動領域１３１ｃの前方への露出度合が、第１遊技盤３０ａによる妨げが少なくなって高まる位置）に移動させ、これにより第１遊技盤３０ａを取り外す等の煩雑な作業なしに簡単に第２遊技盤１３０ａのメンテナンスを行うことができる。
【００３５】
なお、図３及び図４に示すように、球通路１５０は第２遊技盤１３０ａとは独立して形成されているため、前記した遊技位置とメンテナンス位置との間の第２遊技盤１３０ａのスライド移動の際に、第２遊技盤１３０ａがスライド移動しても、球通路１５０はそれに追随せずに同じ位置に固定されたままとなる。
【００３６】
以上のように、本実施の形態のパチンコ遊技機１０によれば、前後２層の転動領域のうち、遊技者から遠い側となる後方の第２転動領域１３１ｃを有する第２遊技盤１３０ａが、遊技者に近い側となる前方の透明領域である第１転動領域３１ｃと重なる位置と、第２転動領域が透明領域に対してずれて、該第２転動領域の前方への露出度合が、第１遊技盤による妨げが少なくなって高まる位置としての第１転動領域３１ｃと重ならない位置との間を移動可能であるため、第２転動領域１３１ｃのメンテナンス時に第２遊技盤１３０ａを移動可能となり、後方に位置する転動領域のメンテナンスを簡単に行うことができる。
【００３７】
また、本実施の形態のパチンコ遊技機１０では、第１遊技盤３０ａには開口部３８が設けられており、第１遊技盤３０ａにおける開口部３８の周囲の少なくとも一部に、第１転動領域３１ｃが形成されていると共に、開口部３８の後方に、表示画面３７ａを有する演出表示装置３７を備え、開口部３８から弾球遊技機１０の前方に向けて表示画面３７ａが臨むようになっており、第２遊技盤１３０ａは、弾球遊技機１０の前後方向において、第１転動領域３１ｃの後方かつ表示画面３７ａの前方の位置に配置されており、第２遊技盤１３０ａは、弾球遊技機１０の左右方向において、透明領域である第１転動領域３１ｃと重なる位置と、開口部３８における表示画面３７ａの前方位置との間をスライド移動可能に形成されている。このように、表示画面３７ａの前の開口部３８というパチンコ遊技機１０において形成されることが多い一般的な構成を用い、かつ、スライド移動というずれの少ない移動手段を用いることで、より簡単かつ確実な第２遊技盤１３０ａの移動手段を形成することができる。
【００３８】
なお、以上説明した各実施の形態は、本発明の理解を容易にするために記載されたものであって、本発明を限定するために記載されたものではない。
【００３９】
例えば、前記した実施の形態では、弾球遊技機としてパチンコ遊技機を挙げて説明したが、本発明はこれに限るものではなく、アレンジボール等の他の弾球遊技機にも適用可能である。
【００４０】
また、前記した実施の形態では、弾球遊技機の左方に配置された第２遊技盤を、レールを用いて遊技機の左右方向にスライド移動させることで、左方の遊技位置と右方のメンテナンス位置の間の移動を行うようになっていたが、これに限るものではなく、遊技機の形状や遊技機内のスペース等の条件により、第２遊技盤を他の方向や他の位置間でスライド移動させるようになっていても良いし（例えば、弾球遊技機の表示画面が臨む開口部の右方に転動領域があるときには、転動領域のある右方の遊技位置と、遊技位置の左方に位置する開口部の前のメンテナンス位置との間でスライド移動するようになっていても良い。）、レール以外の構成を用いてスライド移動させるようになっていても良い。また、回動等の他の移動方法で第２遊技盤を移動させるようになっていても良い。
【００４１】
また、前記した実施の形態では、第１転動領域の全体が透明領域になっていたが、これに限るものではなく、第１転動領域の一部が透明領域となっていて、この後方に第２遊技盤が重なって配置されるようになっていても良い。
【００４２】
また、前記した実施の形態では、遊技盤は前後２層に形成されていたが、本発明はこれに限るものではなく、遊技盤が前後３層以上に形成されており、１番手前（遊技者に近い側）に配置された遊技盤以外の遊技盤が、前方に配置された遊技盤と重ならない位置に移動可能となっていても良い。
【符号の説明】
【００４３】
１０…パチンコ遊技機（弾球遊技機）、３０…遊技盤、３０ａ…第１遊技盤、３１ｃ…第１転動領域（転動領域、透明領域）、３８…開口部、３７…演出表示装置、３７ａ…表示画面、１３０ａ…第２遊技盤、１３１ｃ…第２転動領域（転動領域）
【図１】
2010273997.tif 000003
【図２】
2010273997.tif 000004
【図３】
2010273997.tif 000005
【図４】
2010273997.tif 000006